(57)【要約】【課題】室外冷媒回路構成部品と接続部との間の距離を短くすることができる空気調和機の室外機を提供する。【解決手段】空気調和機の室外機３は、冷媒回路を構成する圧縮機２１、四路切換弁２２、アキュムレータ２３、電動弁２５等の室外冷媒回路構成部品と、室外冷媒回路構成部品を収容する室外機ケーシング５と、閉鎖弁２７，２８（接続部）とを備える。閉鎖弁２７，２８は、室内機内の室内冷媒回路構成部品と室外冷媒回路構成部品２１，２２，２３，２５とを連絡する連絡冷媒配管が接続される。そして、室外冷媒回路構成部品２１，２２，２３，２５は、室外機ケーシング５の正面視における左右方向の略中央に配置される。また、閉鎖弁２７，２８は、室外機ケーシング５の正面視における左右方向の略中央であって室外機ケーシング５の上面近傍に配置される。【選択図】　　　　図６
2004132625.tif 000002
【特許請求の範囲】
【請求項１】
冷媒回路を構成する室外冷媒回路構成部品（２１−２３，２５）と、
前記室外冷媒回路構成部品（２１−２３，２５）を収容するケーシング（５）と、
室内機（２）内の室内冷媒回路構成部品（１１）と前記室外冷媒回路構成部品（２１−２３，２５）とを連絡する連絡配管（３１，３２）が接続される接続部（２７，２８）と、
を備え、
前記室外冷媒回路構成部品（２１−２３，２５）は、前記ケーシング（５）の正面視における左右方向の略中央に配置され、
前記接続部（２７，２８）は、前記ケーシング（５）の正面視における左右方向の略中央であって前記ケーシング（５）の上面近傍に配置される、
空気調和機（１）の室外機（３）。
【請求項２】
前記ケーシング（５）の内部の空間は、外部から取り込まれた空気が通る通風室（ＳＰ１）と、前記通風室（ＳＰ１）から仕切られた前記室外冷媒回路構成部品（２１−２３，２５）を収容する機械室（ＳＰ２）とに分けられており、
前記機械室（ＳＰ２）は、前記ケーシング（５）の正面視における左右方向の略中央に設けられている、
請求項１に記載の空気調和機（１）の室外機（３）。
【請求項３】
前記機械室（ＳＰ２）の両側方にそれぞれ配置される第１室外熱交換器（２４ａ）と第２室外熱交換器（２４ｂ）とをさらに備える、
請求項２に記載の空気調和機（１）の室外機（３）。
【請求項４】
前記機械室（ＳＰ２）は、前記ケーシング（５）の上面近傍まで設けられている、
請求項２または３に記載の空気調和機（１）の室外機（３）。
【請求項５】
前記機械室（ＳＰ２）は、前記ケーシング（５）の背面近傍まで設けられており、
前記接続部（２７，２８）は、前記ケーシング（５）の背面近傍に配置されている、
請求項２から４のいずれかに記載の空気調和機（１）の室外機（３）。
【請求項６】
前記接続部（２７，２８）は、前記ケーシング（５）の背面側へと突出し前記連絡配管（３１，３２）に差し込まれる突出部（２７１，２８１）を有する閉鎖弁（２７，２８）である、
請求項１から５のいずれかに記載の空気調和機（１）の室外機（３）。
【発明の詳細な説明】
【０００１】
【発明の属する技術分野】
本発明は、空気調和機の室外機に関する。
【０００２】
【従来の技術】
一般に、空気調和機の室外機は、冷媒回路を構成する圧縮機等の室外冷媒回路構成部品をケーシング内に収容している。これらの室外冷媒回路構成部品は、ケーシングの正面視における左右方向のいずれか一方に寄せて配置されることが多い。また、空気調和機の室外機は、室内機内の室内冷媒回路構成部品と室外冷媒回路構成部品とを連絡する連絡配管が接続される接続部（閉鎖弁）を備えている。そして、この接続部も、ケーシング内の下部であって正面視における左右方向の端に設けられることが多い（例えば、特許文献１参照）。
【０００３】
一方、室外冷媒回路構成部品の配置に関して、上記と異なり室外冷媒回路構成部品が室外機のケーシングの正面視における中央近傍に配置される場合もある（例えば、特許文献２参照）。
【０００４】
【特許文献１】
特開２００２−１４７７９５号公報（第３，４頁、第１図）
【０００５】
【特許文献２】
特許第３１９３１３４号公報
【０００６】
【発明が解決しようとする課題】
しかし、上記のように室外冷媒回路構成部品が室外機のケーシング内の中央部に配置された場合においても、接続部がケーシング内の下部であって正面視における左右方向の端に設けられると、室外冷媒回路構成部品と接続部との間の距離が長くなってしまう。その結果、室外冷媒回路構成部品と接続部とをつなぐ冷媒配管の長さが増大する等の不都合が生じる。
【０００７】
本発明の課題は、室外冷媒回路構成部品と接続部との間の距離を短くすることができる空気調和機の室外機を提供することにある。
【０００８】
【課題を解決するための手段】
請求項１に記載の空気調和機の室外機は、冷媒回路を構成する室外冷媒回路構成部品と、室外冷媒回路構成部品を収容するケーシングと、接続部とを備える。接続部は、室内機内の室内冷媒回路構成部品と室外冷媒回路構成部品とを連絡する連絡配管が接続される。そして、室外冷媒回路構成部品は、ケーシングの正面視における左右方向の略中央に配置される。また、接続部は、ケーシングの正面視における左右方向の略中央であってケーシングの上面近傍に配置される。
【０００９】
この空気調和機の室外機では、冷媒回路を構成する室外冷媒回路構成部品がケーシングの正面視における左右方向の略中央に配置される。また、接続部がケーシングの正面視における左右方向の略中央に配置される。このため、接続部がケーシングの左右方向の端に配置される場合と比べて、室外冷媒回路構成部品と接続部との距離が近くなっている。従って、この空気調和機の室外機では、室外冷媒回路構成部品と接続部との間の距離を短くすることができる。
【００１０】
また、この空気調和機の室外機では、接続部がケーシングの上面近傍に配置されているため、次のような効果がある。すなわち、接続部がケーシングの略中央であってケーシングの下部に配置された場合には、接続部への連絡配管の接続作業を行うことが困難である。例えば、空気調和機の室外機が壁に近接して設置される場合には、壁と室外機との隙間を室外機の下部まで連絡配管を通す必要があり、接続作業が行い難くなる。しかし、この空気調和機の室外機では、接続部がケーシングの上面近傍に配置されるため、連絡配管の接続部への接続が行い易くなる。
【００１１】
請求項２に記載の空気調和機の室外機は、請求項１に記載の空気調和機の室外機であって、ケーシングの内部の空間は、外部から取り込まれた空気が通る通風室と、通風室から仕切られた室外冷媒回路構成部品を収容する機械室とに分けられている。そして、機械室は、ケーシングの正面視における左右方向の略中央に設けられている。
【００１２】
機械室は、室外冷媒回路構成部品を収容する部分であり、比較的大きな設置空間が必要となる。このため、機械室と通風室とが左右方向に並んで配置された場合、室外機の左右方向の寸法が大きくなり易い。
この空気調和機の室外機では、機械室が、ケーシングの正面視における左右方向の略中央に設けられている。このため、この空気調和機の室外機では、室外機の寸法、特に正面視における左右方向の寸法を小さくすることができる。
【００１３】
請求項３に記載の空気調和機の室外機は、請求項２に記載の空気調和機の室外機であって、機械室の両側方にそれぞれ配置される第１室外熱交換器と第２室外熱交換器とをさらに備える。
この空気調和機の室外機では、第１室外熱交換器と第２室外熱交換器とが機械室の両側方にそれぞれ配置される。このため、第１室外熱交換器と第２室外熱交換器とを通る空気が機械室に妨げられる恐れが少ない。これにより、この空気調和機の室外機では、機械室を略中央に配置した場合であっても、通風抵抗の増大を抑制することができる。
【００１４】
請求項４に記載の空気調和機の室外機は、請求項２または３に記載の空気調和機の室外機であって、機械室は、ケーシングの上面近傍まで設けられている。
この空気調和機の室外機では、機械室がケーシングの上面近傍まで設けられる。また、接続部はケーシングの上面近傍に配置される。このため、この空気調和機の室外機では、機械室に収容される室外冷媒回路構成部品と接続部との間の距離をさらに短くすることができる。
【００１５】
請求項５に記載の空気調和機の室外機は、請求項２から４のいずれかに記載の空気調和機の室外機であって、機械室はケーシングの背面近傍まで設けられており、接続部はケーシングの背面近傍に配置されている。
この空気調和機の室外機では、接続部はケーシングの背面近傍に配置されている。このため、正面からは連絡配管の接続箇所が見えにくく、美観を損なう恐れが少なくなっている。また、機械室はケーシングの背面近傍まで設けられているため、機械室内に収容された室外冷媒回路構成部品と接続部との間の距離をさらに短くすることができる。
【００１６】
請求項６に記載の空気調和機の室外機は、請求項１から５のいずれかに記載の空気調和機の室外機であって、接続部は、ケーシングの背面側へと突出し連絡配管に差し込まれる突出部を有する閉鎖弁である。
この空気調和機の室外機では、接続部は、ケーシングの背面側へと突出し連絡配管に差し込まれる突出部を有する閉鎖弁である。このため、連絡配管をケーシングの背面側から接続部に接続することができる。連絡配管をケーシングの上側から接続部に接続する場合には、ケーシングの上面に連絡配管を通すための又は接続部が突出するための開口等を設ける必要がある。しかし、この空気調和機の室外機では、連絡配管をケーシングの背面側から接続部に接続することができるため、ケーシングの上面に開口等を設けなくても連絡配管を接続部に容易に接続することができる。
【００１７】
【発明の実施の形態】
＜空気調和機の外観概略＞
本発明の一実施形態に係る空気調和機１の外観を図１に示す。
この空気調和機１は、室内の壁面などに取り付けられる室内機２と、室外に設置される室外機３とに分かれて構成されている。
【００１８】
室内機２には室内熱交換器が収納され、室外機３内には室外熱交換器が収納されている。そして、各熱交換器が連絡冷媒配管３１，３２により接続されることにより冷媒回路を構成している。
＜冷媒回路の全体構成＞
図２に、空気調和機１の冷媒回路の全体構成及びその他の構成を示す。
【００１９】
室内機２内には、室内熱交換器１１が収容されており、室内機２内で冷媒回路の一部を構成している。この室内熱交換器１１は、長さ方向両端で複数回折り返されてなる伝熱管と、伝熱管が挿通される複数のフィンとからなり、接触する空気との間で熱交換を行う。また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００２０】
室外機３には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。これらは、室外機３内で冷媒回路の一部を構成している。電動弁２５は、フィルタ２６および液閉鎖弁２７を介して連絡冷媒配管３２に接続されており、この連絡冷媒配管３２を介して室内熱交換器１１の一端と接続される。また、四路切換弁２２は、ガス閉鎖弁２８を介して連絡冷媒配管３１に接続されており、この連絡冷媒配管３１を介して室内熱交換器１１の他端と接続されている。このように、これらの連絡冷媒配管３１，３２は、室内機２内の冷媒回路の構成部品と室外機３内の冷媒回路の構成部品とを連絡している。連絡冷媒配管３１，３２は、室内機２内の制御基板と室外機３内の制御基板とを電気的に接続する図示しない通信線と共に、集合連絡管４を形成する。
【００２１】
また、室外機３内には、室外熱交換器２４での熱交換後の空気を外部に排出するためのプロペラファン２９が設けられている。このプロペラファン２９は、室外ファンモータ３０によって回転駆動される。
＜室外機３の構成＞
〔室外機ケーシング〕
室外機３は、図１に示すように、主として前板５１、側板５２，５３、底フレーム５４、天板５５により構成される室外機ケーシング５を備えている。室外機ケーシング５は、室外機３内の冷媒回路構成部品やその他の構成部品を収容する。
【００２２】
前板５１は、室外機３の前面を覆う樹脂製の部材である。前板５１には、複数のスリット状の開口からなる吹出口５１ａが設けられており、室外熱交換器２４を通った空気は、室外機３の内部の通風室ＳＰ１からこの吹出口５１ａを通って室外機３の外部へと吹き出す。また、前板５１のすぐ後方には、空気が通る開口を有するベルマウス５６が設けられている（図４参照）。
【００２３】
側板５２，５３には右側板５２及び左側板５３があり、これらは室外機３の側方を覆う部材である。ここでは、室外機３の正面視において右側に右側板５２、左側に左側板５３が設けられている。
底フレーム５４は、室外機３の下方を覆う部材であり、室外熱交換器２４や後述する機械室モジュール８等が取り付けられる。
【００２４】
天板５５は、室外機３の上方を覆う部材であり、室外機ケーシング５の上面を構成する。
なお、室外機３の背面には、図示しない保護金網が設けられている。
〔通風室と機械室〕
図３に室外機３の平面断面図、図４に室外機３の側面断面図を示す。なお、図３及び図４では、理解の容易のために配管や配線の記載が省略されている。
【００２５】
室外機３の内部の空間は、通風室ＳＰ１と機械室ＳＰ２とに分けられている。通風室ＳＰ１は、室外熱交換器２４が配置され室外から取り込まれた空気が十分に通る空間となっている。機械室ＳＰ２は、通風室ＳＰ１から仕切られており、外気からある程度隔離された空間となっている。このため、機械室ＳＰ２には、冷媒回路を構成する構成部品のうち水分に弱い電気部品等が収容される。機械室ＳＰ２は、室外機ケーシング５の正面視における左右方向の略中央にであって背面側に配置されている。従って、機械室ＳＰ２に収容される構成部品も室外機ケーシング５の正面視における左右方向の略中央であって背面側に配置されている。また、機械室ＳＰ２は、室外機ケーシング５の底面から上面までにわたって設けられている。
【００２６】
〔通風室の内部の構成〕
通風室ＳＰ１の内部の構成について主として図３に基づいて説明する。
通風室ＳＰ１には、主として、室外熱交換器２４、プロペラファン２９、室外ファンモータ３０が配置されている。
室外熱交換器２４は、第１室外熱交換器２４ａと第２室外熱交換器２４ｂとにより構成されており、接触する空気との間で熱交換を行う。第１室外熱交換器２４ａと第２室外熱交換器２４ｂとは、左右対称に機械室ＳＰ２の両側方にそれぞれ配置されている。第１室外熱交換器２４ａと第２室外熱交換器２４ｂとは、それぞれ平面視に置いて略Ｌ字状の形状を有しており、高さ方向には室外機３の底フレーム５４から天板５５までに亘って設けられている。第１室外熱交換器２４ａと第２室外熱交換器２４ｂとは、それぞれ長さ方向両側端で複数回折り返されてなる伝熱管と、伝熱管が挿通される複数のフィンとからなり、両側端の伝熱管の折り返し部分は、Ｕ字型の形状を有するＵ字管２４ｃにより形成されている（図６参照）。第１室外熱交換器２４ａは、室外機３内の正面視における左側に設けられており、室外機３の左側面の略全体と背面の左側の約４分の１を覆っている。第２室外熱交換器２４ｂは、室外機３内の右側に設けられており、室外機３の右側面の略全体と背面の右側の約４分の１を覆っている。第１室外熱交換器２４ａと第２室外熱交換器２４ｂとは、左右方向に間隔を隔てるように室外機３の側方から背面の一部にかけて設けられている。
【００２７】
プロペラファン２９は、室外機３の背面側の室外空間ＳＰ３から通風室ＳＰ１の室外熱交換器２４を通り室外機３の前方側へと吹き出す空気の流れを生成する。プロペラファン２９は、室外熱交換器２４に対して空気の流れの下流側に配置されており、前板５１のすぐ内側（後方）に配置されている。プロペラファン２９は、正面視において室外機３の略中央に配置されている（図５参照）。
【００２８】
室外ファンモータ３０はプロペラファン２９の後方に配置されており、室外ファンモータ３０の駆動軸３０ａにプロペラファン２９が取り付けられる。室外ファンモータ３０は、プロペラファン２９を回転駆動して上述の空気の流れを生成させる。室外ファンモータ３０は、後述する機械室ケーシング６１の前面部分６２ａに通風室ＳＰ１に面するように取り付けられており、正面視において室外機３の略中心に配置される（図５参照）。
【００２９】
〔機械室ケーシング及び機械室の内部の構成〕
（機械室ケーシング）
機械室ＳＰ２は、機械室ケーシング６１によって通風室ＳＰ１から仕切られている。この機械室ケーシング６１は、図３及び図４に示すように、側面部６２、底部６３及び天蓋６４によって構成されている。
【００３０】
側面部６２は、機械室ＳＰ２の前面、両側面及び背面を覆う部材であり、薄肉の金属板を曲げることによって形成されている。側面部６２は、室外機ケーシング５の底フレーム５４から天板５５までの距離と略同様の高さを有しており、機械室ＳＰ２は、室外機ケーシング５の底面から上面まで設けられている。側面部６２のうち機械室ＳＰ２の前面を覆う前面部分６２ａは、平坦になっており前板５１と略平行になっている。この前面部分６２ａの正面視における中心には、室外ファンモータ３０の後端が挿通される開口６２０が設けられている。また、この開口６２０の周囲は前面側に隆起しており、この隆起した部分に室外ファンモータ３０が螺子止めされる。室外機３においては、前方からプロペラファン２９、室外ファンモータ３０、機械室ＳＰ２が順に配置され、機械室ＳＰ２はプロペラファン２９の後方にプロペラファン２９に対向するように配置される。また、図３に示すように、側面部６２の両側面の後方には高さ方向に長い開口６２１が設けられている。そして、第１室外熱交換器２４ａと第２室外熱交換器２４ｂとの各側端がこの開口６２１に突入することにより、開口６２１が閉じられている。側面部６２の右側の上部にはスリットが設けられており、このスリットを通って後述する放熱フィン６５が機械室ＳＰ２から通風室ＳＰ１へと突出している。また、側面部６２の左側の内側の中央には、後述するリアクタ６６が取り付けられている。側面部６２の背面は、図４に示すように、その上端が内側に折り込まれており、機械室ケーシング６１の背面の上部には開口６２２が形成されている。機械室ケーシング６１は第１室外熱交換器２４ａと第２室外熱交換器２４ｂとの間に配置されているため、機械室ＳＰ２と室外機３の背面側の室外空間ＳＰ３とは、開口６２２と各室外熱交換器２４ａ，２４ｂの間の空間とを介して連通している。また、この開口６２２の内側には閉鎖弁２７，２８が設けられ、室内機２から延びる連絡冷媒配管３１，３２が、室外機３の背面側から開口６２２を通して閉鎖弁２７，２８に取り付けられる。
【００３１】
底部６３は、機械室ＳＰ２の底面を覆う部材であり、薄肉の金属板により構成されている。底部６３の上側には、圧縮機２１が螺子止めされる。底部６３は、側面部６２から突出する舌部６３０を有しており、舌部６３０が室外機ケーシング５の底フレーム５４に螺子止めされることにより、機械室ケーシング６１が室外機３に取り付けられる。
【００３２】
天蓋６４は、機械室ＳＰ２の上方を覆う樹脂製の部材であり、機械室ＳＰ２の上方から側面部６２に差し込まれ螺子止めされる。
（機械室の内部の構成）
機械室ケーシング６１の内部の機械室ＳＰ２には、圧縮機２１、四路切換弁２２（図６参照）、アキュムレータ２３、電動弁２５（図６参照）、リアクタ６６、制御基板６７、液閉鎖弁２７、ガス閉鎖弁２８などが収容される。
【００３３】
圧縮機２１とアキュムレータ２３とは、リアクタ６６の下方に配置される。アキュムレータ２３は、圧縮機２１の側面に固定されており、圧縮機２１は、機械室ケーシング６１の底部６３に固定される。圧縮機２１は、圧縮機用ワイヤハーネスによって制御基板６７に接続される。
四路切換弁２２は、圧縮機２１の上方に配置される（図６参照）。四路切換弁２２は、四路切換弁コイルを有しており、四路切換弁コイルは四路切換弁用ワイヤハーネスによって制御基板６７に接続される。
【００３４】
電動弁２５は、四路切換弁２２と共に圧縮機２１の上方に配置される（図６参照）。電動弁２５は電動弁コイルを有しており、電動弁コイルは、電動弁コイル用ワイヤハーネスによって制御基板６７に接続される。なお、電動弁２５に代えて、キャピラリ等の他の減圧装置が用いられてもよい。
リアクタ６６は、上述したように機械室ケーシング６１の側面部６２の内側に取り付けられ、リアクタ用ワイヤハーネスによって制御基板６７に接続される。
【００３５】
制御基板６７は、空気調和機１の制御を行うためのマイクロコンピュータチップや制御プログラムを格納するメモリなどの制御回路等がプリント基板に実装されたものであり、室内機２に配置される室内制御基板と共に空気調和機の制御を行う制御部を構成する。制御基板６７は、図３、図４及び図５に示すように高さ方向に平行な状態で機械室ＳＰ２に配置されている。なお、図５は、室外機３の正面断面図であり、図３及び図４と同様に、配管と配線とが省略されている。図４に示すように、制御基板６７は、特に前面に平行な状態で機械室ＳＰ２の上部に配置されている。制御基板６７は、機械室ケーシング６１の上方から差し込まれるようにして取り付けられる。また、制御基板６７には、実装された制御回路のうち発熱の大きな発熱部品６７０を冷却するための放熱フィン６５が設けられている。放熱フィン６５は、図３に示すように、側面部６２の右側面のスリットから通風室ＳＰ１へと突出する。放熱フィン６５と発熱部品６７０とは、Ｌ字状に折れ曲がった金属板６５１によって繋がれており、金属板６５１を介して発熱部品６７０の熱が放熱フィン６５に伝えられる。また、制御基板６７は、上述したように、リアクタ６６、圧縮機２１、四路切換弁２２及び電動弁２５と各ワイヤハーネスによって接続される他に、吐出管サーミスタ７１、熱交サーミスタ７２及び外気サーミスタ７３ともワイヤハーネスやリード線等によって接続される（図９参照）。吐出管サーミスタ７１は、圧縮機２１の吐出側の冷媒温度を検出して制御部へと送る。熱交サーミスタ７２は、室外熱交換器２４の冷媒温度を検出して制御部へと送る。外気サーミスタ７３は、室外温度を検出して制御部へと送る。
【００３６】
液閉鎖弁２７とガス閉鎖弁２８とは、機械室ＳＰ２に張り巡らされている内部冷媒配管の終端に設けられている。この液閉鎖弁２７とガス閉鎖弁２８とは、室内機２内の室内熱交換器１１と室外機３の冷媒回路構成部品とを連絡する連絡冷媒配管３１，３２が接続されるものである。液閉鎖弁２７とガス閉鎖弁２８とは、図３に示すように機械室ＳＰ２のうち背面側に設けられ、図４に示すように機械室ＳＰ２のうち上部に設けられている。機械室ＳＰ２は室外機３の左右方向の略中央の側面側に配置されているため、室外機３全体で見ると、液閉鎖弁２７とガス閉鎖弁２８とは、室外機ケーシング５の正面視における左右方向の略中央に配置されている。また、機械室ＳＰ２は、室外機ケーシング５の上面を構成する天板５５近傍まで設けられているため、液閉鎖弁２７とガス閉鎖弁２８とは、室外機３の上面の近傍に配置される。さらに、機械室ＳＰ２は、室外機ケーシング５の背面側に設けられているため、液閉鎖弁２７とガス閉鎖弁２８とは、室外機ケーシング５の背面近傍に配置される。
【００３７】
また、液閉鎖弁２７とガス閉鎖弁２８とは、背面側へと突出する突出部２７１，２８１をそれぞれ有している。突出部２７１，２８１には閉鎖弁２７，２８の内部へと繋がる接続口が設けられている。この突出部２７１，２８１の接続口に室内機２から延びる連絡冷媒配管３１，３２が差し込まれフレアナットが締め付けられることにより、連絡冷媒配管３１，３２が液閉鎖弁２７とガス閉鎖弁２８とにそれぞれ接続される。この突出部２７１，２８１は、図３及び図４のように、機械室ＳＰ２の背面側に設けられた開口６２２を通して室外機３の背面側の室外空間ＳＰ３に面しており、連絡冷媒配管３１，３２は、室外機３の背面側から室外熱交換器２４の間および開口６２２を通って機械室ＳＰ２に挿通されて、液閉鎖弁２７とガス閉鎖弁２８とにそれぞれ接続される。
【００３８】
図６に、機械室ＳＰ２に配置されている冷媒回路構成部品の配置と各冷媒回路構成部品を繋ぐ内部冷媒配管とを示す。なお、図６は、室外機３の正面断面図であるが、理解の容易のために、制御基板６７や配線等の記載を省略している。
液閉鎖弁２７は、電動弁２５に接続される内部冷媒配管の他端に設けられている。液閉鎖弁２７には、室内熱交換器１１の一端から延びる連絡冷媒配管３２が接続される。ガス閉鎖弁２８は、四路切換弁２２に接続される内部冷媒配管の他端に設けられている。ガス閉鎖弁２８には、室内熱交換器１１の他端から延びる連絡冷媒配管３１が接続される。また、第１室外熱交換器２４ａ及び第２室外熱交換器２４ｂの各側端の下端から突出する伝熱管２４１ａ，２４１ｂが内部冷媒配管により電動弁２５と接続され、側端の上端から突出する伝熱管２４２ａ，２４２ｂが内部冷媒配管により四路切換弁２２と接続されている。電動弁２５及び四路切換弁２２は、内部冷媒配管によりさらに圧縮機２１及びアキュムレータ２３と接続されている。これらの内部冷媒配管と各冷媒回路構成部品とはロウ付けされて固定されている。このように、機械室ＳＰ２には、冷媒回路構成部品と繋ぐ内部冷媒配管が複雑に張り巡らされている。
【００３９】
＜機械室モジュールの構成＞
この空気調和機１の室外機３では、室外機３の構成部品のうち、機械室ケーシング６１と機械室ＳＰ２内に配置される構成部品と室外ファンモータ３０とが一体的にまとめられてモジュール化されている。図７、図８及び図９に、機械室ケーシング６１と機械室ＳＰ２内に配置される構成部品と室外ファンモータ３０とがモジュール化された機械室モジュール８を示す。図７は、機械室モジュール８の正面図である。図８は、機械室モジュール８の平面断面図である。また、図９は、機械室モジュール８の構成を表すブロック図である。
【００４０】
詳細に説明すると、機械室モジュール８の構成部品は、機械室ケーシング６１、リアクタ６６、圧縮機２１、四路切換弁２２、アキュムレータ２３、電動弁２５、液閉鎖弁２７、ガス閉鎖弁２８、制御基板６７及、室外ファンモータ３０等であり、制御基板６７に接続される吐出管サーミスタ７１、熱交サーミスタ７２、外気サーミスタ７３も含まれる。また、図９に示すように、機械室モジュール８では、各構成部分が内部冷媒配管およびワイヤハーネスやリード線等によって接続されている。なお、図９においては、実線が内部冷媒配管を表し、破線がワイヤハーネスやリード線等の配線を表している。
【００４１】
この機械室モジュール８は、機械室ケーシング６１と機械室ＳＰ２内に配置される構成部品と室外ファンモータ３０とを上記の＜室外機の構成＞の欄で説明したように配置して、各構成を内部冷媒配管またはワイヤハーネスやリード線等によって接続することにより組み立てられる。そして、この機械室モジュール８は、室外機３の組立とは独立して組み立てられることが可能である。すなわち、この機械室モジュール８の組立は、室外機３の外部で行うことが可能であり、また、室外機３の組立に先立って行うことが可能となっている。
【００４２】
室外機３の組立を行う際には、機械室モジュール８は、図３に示すように、室外機３の正面視における左右方向の略中央であって、背面側に配置される。この室外機３では、第１室外熱交換器２４ａと第２室外熱交換器２４ｂとが、左右方向に間隔を隔てるように室外機３の背面側に配置されているため、機械室モジュール８は、第１室外熱交換器２４ａと第２室外熱交換器２４ｂとの間に配置される。また、室外ファンモータ３０にプロペラファンが取り付けられることにより、機械室モジュール８はプロペラファン２９に対向するようにその後方に配置される。機械室モジュール８がこのように室外機３に取り付けられることにより、上述したような室外機３の構成となる。
【００４３】
なお、図８においては、図３と同様に内部冷媒配管と配線とが省略されているが、実際には図６及び図９のように内部冷媒配管とワイヤハーネスやリード線等が設けられている。
＜組立工程＞
室外機３の組立工程は、図１０に示すように大きく２つに分けられる。一つは、機械室モジュール８の組立工程Ｓ１であり、もう１つは、機械室モジュール８以外の部品と予め組み立てられた機械室モジュール８とを取り付ける室外機本体の組立工程Ｓ２である。
【００４４】
機械室モジュール８の組立工程Ｓ１は、室外機３の組立に先立って室外機３の外部で行われる。機械室モジュール８の組立工程Ｓ１は、機械室ケーシング６１の組立Ｓ１０、構成部品の取付Ｓ１１、配管作業Ｓ１２、結線作業Ｓ１３等により構成される。構成部品の取付Ｓ１１では、機械室ケーシング６１に対して、リアクタ６６、圧縮機２１、四路切換弁２２、電動弁２５、ガス閉鎖弁２８、液閉鎖弁２７、制御基板６７、室外ファンモータ３０等が取り付けられる。配管作業Ｓ１２では、圧縮機２１、四路切換弁２２、電動弁２５、ガス閉鎖弁２８及び液閉鎖弁２７等の冷媒回路構成部品が内部冷媒配管によって繋がれロウ付けされる。結線作業Ｓ１３では、リアクタ６６、圧縮機２１、四路切換弁２２、電動弁２５、室外ファンモータ３０、吐出管サーミスタ７１、熱交サーミスタ７２及び外気サーミスタ７３と制御基板６７とがワイヤハーネス等によって接続される。なお、これらの機械室モジュール８の組立工程Ｓ１を構成する工程Ｓ１０，Ｓ１１，Ｓ１２，Ｓ１３は、上記以外の順番で行われてもよく、また、必ずしも各工程Ｓ１０，Ｓ１１，Ｓ１２，Ｓ１３ごとに行われなくてもよい。
【００４５】
室外機本体の組立工程Ｓ２は、室外機ケーシング５の組立Ｓ２０と、室外熱交換器２４の取付Ｓ２１と、機械室モジュール８の取付Ｓ２２、プロペラファン２９の取付Ｓ２３等により構成される。機械室モジュール８の取付では、室外機ケーシング５の底フレーム５４への機械室ケーシング６１の螺子止めや、各サーミスタ７１，７２，７３の取付、室外熱交換器２４への内部冷媒配管のロウ付け等が行われる。プロペラファン２９の取付Ｓ２３では、室外ファンモータ３０へのプロペラファン２９の取付等が行われる。なお、これらの室外機本体の組立工程Ｓ２を構成する工程Ｓ２０，Ｓ２１，Ｓ２２，Ｓ２３は、上記以外の順番で行われてもよく、また、必ずしも各工程Ｓ２０，Ｓ２１，Ｓ２２，Ｓ２３ごとに行われなくてもよい。
【００４６】
＜特徴＞
（１）
一般に、空気調和機１の室外機３では、プロペラファン２９が配置される通風室ＳＰ１と機械室ＳＰ２とが室外機３の左右方向に並べて配置されることが多い。この場合、室外機３の左右方向の寸法は、少なくともプロペラファン２９と機械室ＳＰ２との分だけ必要となる。
【００４７】
しかし、この空気調和機１の室外機３では、機械室ＳＰ２が、室外機ケーシング５の左右方向の略中央であってプロペラファン２９の後方にプロペラファン２９に対向するように配置されている。従って、正面視に置いては、プロペラファン２９と機械室ＳＰ２とが重なり合った状態で配置されている。このため、この空気調和機１の室外機３では、左右方向の寸法が小さくなっている。
【００４８】
（２）
この空気調和機１の室外機３では、機械室ＳＰ２が、室外機ケーシング５の左右方向の略中央であって背面側に配置されている。そして、この機械室ＳＰ２の配置に合わせて、液閉鎖弁２７及びガス閉鎖弁２８がケーシングの正面視における左右方向の略中央であって背面側に配置される。このため、液閉鎖弁２７及びガス閉鎖弁２８がケーシングの左右方向の端に配置される場合と比べて、機械室ＳＰ２に収容される電動弁２５と液閉鎖弁２７との距離及び四路切換弁２２とガス閉鎖弁２８との距離が近くなっている。従って、この空気調和機１の室外機３では、電動弁２５と液閉鎖弁２７とを繋ぐ内部冷媒配管の長さと、四路切換弁２２とガス閉鎖弁２８とを繋ぐ内部冷媒配管との長さが短くなっている。このため、内部冷媒配管のコストが低減されている。また、内部冷媒配管の取り回しが簡素化されるため、内部冷媒配管の設置が行い易くなっている。
【００４９】
さらに、この空気調和機１の室外機３では、機械室ＳＰ２が室外機ケーシング５の上面近傍まで設けられる。また、液閉鎖弁２７及びガス閉鎖弁２８は室外機ケーシング５の上面近傍に配置される。このため、この空気調和機１の室外機３では、機械室ＳＰ２に収容される冷媒回路構成部品と液閉鎖弁２７及びガス閉鎖弁２８との間の距離が短くなっている。また、冷媒回路構成部品と液閉鎖弁２７及びガス閉鎖弁２８との接続を機械室ＳＰ２の内部で行うことができるため、機械室ＳＰに収容される構成部品と液閉鎖弁２７及びガス閉鎖弁とのモジュール化が容易になっている。
【００５０】
また、この空気調和機１の室外機３では、圧縮機２１、四路切換弁２２、アキュムレータ２３、電動弁２５、液閉鎖弁２７及びガス閉鎖弁２８が機械室ＳＰに集中して配置されている。このため、各構成部品を繋ぐ内部冷媒配管の長さがより短くなっている。
（３）
液閉鎖弁２７及びガス閉鎖弁２８が室外機ケーシング５の左右方向の略中央であって背面側の下部や高さ方向の中央近傍に配置された場合には、液閉鎖弁２７及びガス閉鎖弁２８への連絡冷媒配管３１，３２の接続作業を行うことが困難となる。空気調和機１の室外機３は背面を壁に近接させて設置されることが多いため、このような配置では、壁と室外機３との隙間に連絡冷媒配管３１，３２を通さなければならなくなるためである。
【００５１】
しかし、この空気調和機１の室外機３では、液閉鎖弁２７及びガス閉鎖弁２８が室外機ケーシング５の上面近傍に配置されるため、壁と室外機３との隙間をほとんど通すことなく連絡冷媒配管３１，３２を室外機３の上方から液閉鎖弁２７及びガス閉鎖弁２８に接続することができる。このため、連絡冷媒配管３１，３２の液閉鎖弁２７及びガス閉鎖弁２８への接続が容易になっている。
【００５２】
（４）
この空気調和機１の室外機３では、液閉鎖弁２７及びガス閉鎖弁２８は、室外機ケーシング５の背面側へと突出する突出部２７１，２８１を有する。このため、室外機３の背面側から開口６２２を通って液閉鎖弁２７及びガス閉鎖弁２８に連絡冷媒配管３１，３２を接続することができる。連絡冷媒配管３１，３２を室外機ケーシング５の上側から液閉鎖弁２７及びガス閉鎖弁２８に接続する場合には、天板５５に連絡冷媒配管３１，３２を通すための開口等を設ける必要がある。しかし、この空気調和機１の室外機３では、連絡冷媒配管３１，３２を室外機ケーシング５の背面側から接続することができるため、天板５５に開口等を設けなくてもよい。また、室外機３の背面には保護金網が設けられているだけなので、金網の間から連絡冷媒配管３１，３２を通すことができる。従って、室外機ケーシング５に開口を設ける必要がない。このため、この空気調和機１の室外機３では、連絡冷媒配管３１，３２を液閉鎖弁２７及びガス閉鎖弁２８に接続するための構成が簡易になっている。
【００５３】
（５）
この空気調和機１の室外機３では、第１室外熱交換器２４ａと第２室外熱交換器２４ｂとが機械室ＳＰ２の両側方にそれぞれ配置される。このため、機械室ＳＰ２が第１室外熱交換器２４ａと第２室外熱交換器２４ｂとを通る空気の妨げとなることが少なく、通風抵抗の悪化が防止されている。これにより、この空気調和機１の室外機３では、機械室ＳＰ２を室外機ケーシング５の略中央に設けたことによる熱交換効率の低下が防止されている。
【００５４】
（６）
この空気調和機１の室外機３では、液閉鎖弁２７及びガス閉鎖弁２８は室外機ケーシング５の背面近傍に配置されている。そして、室外機３の背面側から開口６２２を通って連絡冷媒配管３１，３２を液閉鎖弁２７及びガス閉鎖弁２８に接続することができる。このため、正面からは連絡冷媒配管３１，３２の接続部分が見えにくくなっている。また、（５）で述べたように天板５５に開口を空ける必要がなく天板を平滑に形成することができる。このため、室外機３の美観を損なう恐れが少ない。
【００５５】
＜他の実施形態＞
（１）
上記の実施形態では、圧縮機２１、四路切換弁２２、アキュムレータ２３、電動弁２５が機械室ＳＰ２に配置されて室外機ケーシング５の略中央に配置されているが、室外機ケーシング５の略中央に配置される構成部品はこれらの構成部品の全部ではなくてもよく、これらの構成部品の一部であってもよい。
【００５６】
（２）
上記の実施形態では、室外熱交換器２４は、第１室外熱交換器２４ａと第２室外熱交換器２４ｂとに別れて設けられている。しかし、室外熱交換器２４は、第１室外熱交換器２４ａと第２室外熱交換器２４ｂとに分かれていなくてもよく、一体のものであってもよい。この場合、通風抵抗が多少大きくなるが、他の効果については上記と同様に奏することができる。
【００５７】
（３）
上記の実施形態では、液閉鎖弁２７及びガス閉鎖弁２８の突出部２７１，２８１が室外機３の背面側に突出するように設けられているが、上方に突出するように設けられてもよい。連絡冷媒配管３１，３２を接続するための構成を簡易にするという観点からは、突出部２７１，２８１は背面側に突出するように設けられることが望ましい。しかし、突出部２７１，２８１が上方に突出するように設けられたとしても、構成部品を繋ぐ内部冷媒配管の長さを短くすること及び連絡冷媒配管３１，３２の液閉鎖弁２７及びガス閉鎖弁２８への接続を容易にすること等の効果は上記と同様に奏することができる。
【００５８】
【発明の効果】
請求項１に記載の空気調和機の室外機では、冷媒回路を構成する室外冷媒回路構成部品がケーシングの正面視における左右方向の略中央に配置される。また、接続部がケーシングの正面視における左右方向の略中央に配置される。このため、接続部がケーシングの左右方向の端に配置される場合と比べて、室外冷媒回路構成部品と接続部との距離が近くなっている。従って、この空気調和機の室外機では、室外冷媒回路構成部品と接続部との間の距離を短くすることができる。
【００５９】
また、この空気調和機の室外機では、接続部がケーシングの上面近傍に配置されているため、次のような効果がある。すなわち、接続部がケーシングの略中央であってケーシングの下部に配置された場合には、接続部への連絡配管の接続作業を行うことが困難である。例えば、空気調和機の室外機が壁に近接して設置される場合には、壁と室外機との隙間を室外機の下部まで連絡配管を通す必要があり、接続作業が行い難くなる。しかし、この空気調和機の室外機では、接続部がケーシングの上面近傍に配置されるため、連絡配管の接続部への接続が行い易くなる。
【００６０】
請求項２に記載の空気調和機の室外機では、機械室が、ケーシングの正面視における左右方向の略中央に設けられている。このため、この空気調和機の室外機では、室外機の寸法、特に正面視における左右方向の寸法を小さくすることができる。
請求項３に記載の空気調和機の室外機では、第１室外熱交換器と第２室外熱交換器とが機械室の両側方にそれぞれ配置される。このため、第１室外熱交換器と第２室外熱交換器とを通る空気が機械室に妨げられる恐れが少ない。これにより、この空気調和機の室外機では、機械室を略中央に配置した場合であっても、通風抵抗の増大を抑制することができる。
【００６１】
請求項４に記載の空気調和機の室外機では、機械室がケーシングの上面近傍まで設けられる。また、接続部はケーシングの上面近傍に配置される。このため、この空気調和機の室外機では、機械室に収容される室外冷媒回路構成部品と接続部との間の距離をさらに短くすることができる。
請求項５に記載の空気調和機の室外機では、接続部はケーシングの背面近傍に配置されている。このため、正面からは連絡配管の接続箇所が見えにくく、美観を損なう恐れが少なくなっている。また、機械室はケーシングの背面近傍まで設けられているため、機械室内に収容された室外冷媒回路構成部品と接続部との間の距離をさらに短くすることができる。
【００６２】
請求項６に記載の空気調和機の室外機では、接続部は、ケーシングの背面側へと突出し連絡配管に差し込まれる突出部を有する。このため、連絡配管をケーシングの背面側から接続部に接続することができる。連絡配管をケーシングの上側から接続部に接続する場合には、ケーシングの上面に連絡配管を通すための又は接続部が突出するための開口等を設ける必要がある。しかし、この空気調和機の室外機では、連絡配管をケーシングの背面側から接続部に接続することができるため、ケーシングの上面に開口等を設けなくても連絡配管を接続部に容易に接続することができる。
【図面の簡単な説明】
【図１】空気調和機の外観図。
【図２】冷媒回路及びその他の構成を表す概略図。
【図３】室外機の平面断面図。
【図４】室外機の側面断面図。
【図５】室外機の正面断面図。
【図６】室外機の冷媒回路構成部品と内部冷媒配管を表す正面断面図。
【図７】機械室モジュールの正面図。
【図８】機械室モジュールの平面断面図。
【図９】機械室モジュールの構成を表すブロック図。
【図１０】室外機の組立工程を表す図。
【符号の説明】
１　　　　　　　空気調和機
２　　　　　　　室内機
３　　　　　　　室外機
５　　　　　　　室外機ケーシング（ケーシング）
１１　　　　　　室内熱交換器（室内冷媒回路構成部品）
２１　　　　　　圧縮機（室外冷媒回路構成部品）
２２　　　　　　四路切換弁（室外冷媒回路構成部品）
２３　　　　　　アキュムレータ（室外冷媒回路構成部品）
２４ａ　　　　　第１室外熱交換器
２４ｂ　　　　　第２室外熱交換器
２５　　　　　　電動弁（室外冷媒回路構成部品）
２７　　　　　　液閉鎖弁（接続部）
２８　　　　　　ガス閉鎖弁（接続部）
３１，３２　　　連絡冷媒配管（連絡配管）
２７１，２８１　突出部
ＳＰ１　　　　　通風室
ＳＰ２　　　　　機械室
【図１】
2004132625.tif 000003
【図２】
2004132625.tif 000004
【図３】
2004132625.tif 000005
【図４】
2004132625.tif 000006
【図５】
2004132625.tif 000007
【図６】
2004132625.tif 000008
【図７】
2004132625.tif 000009
【図８】
2004132625.tif 000010
【図９】
2004132625.tif 000011
【図１０】
2004132625.tif 000012